(57)【要約】      （修正有）【課題】電源を必要とせず、氷などの冷却体を用いて、人体各部のカユミや発熱や痛みを生じる皮膚疾患患部を冷却し、苦痛を消去または軽減でき、癒しの効果もある、カユミ止冷却器を提供する。【解決手段】蓋が着脱自在の水抜きキャップ２を設けた、断熱材１に覆われた円筒形の本体４容器の中に、先端から押しバネ５・押し板６・氷などの冷却体７を入れ、別にネジリング８に患部接触面１７を有する冷却筒９を通し、パッキングＢ１０を装着して本体４容器にネジ締めし、密封容器とする。内封した押しバネ５は、その伸長圧で冷却体７を冷却筒９先端内面に押し付け、先端内面とその外面の患部接触面１７を冷却し冷却体７と同温度に冷却された患部接触面１７を患部に押し当て接触皮膚面を冷却し、人体皮膚面に生じたカユミ・発熱・痛みなど苦痛を消去または軽減して安息が得られる、手軽で安全なカユミ止冷却器が得られる。【選択図】図３
0003115222.tif 000002
【実用新案登録請求の範囲】
【請求項１】
後端にパッキングＡを装着した着脱自在の水抜きキャップを設けた、断熱材に覆われた円筒形の本体容器の中に、先端から押しバネ・押し板・氷などの冷却体を入れ、別にネジリングに患部接触面を有する冷却筒平面用または冷却筒刺激用のいずれかを通し、パッキングＢを装着して、冷却体を冷却筒平面用または冷却筒刺激用のいずれかの中に挿入し、押しバネを圧縮しながら本体容器にネジ締めし、密封容器とする。内封した押しバネは、その伸長圧で冷却体を冷却筒平面用または冷却筒刺激用のいずれかの先端内面に押し付け、冷却体と同温度に冷却された平面患部接触面または刺激患部接触面を患部に押し当て接触皮膚面を冷却し、人体皮膚面に生じたカユミ・発熱・痛みなど苦痛を消去または軽減して安息が得られる、手軽で安全なカユミ止冷却器。
【請求項２】
先端に、冷却筒平面用を選択して取り付け、後端に水抜きキャップを設け、密封した本体容器を有する、請求項１記載のカユミ止冷却器。
【請求項３】
先端に、冷却筒刺激用を選択して取り付け、後端に水抜きキャップを設け、密封した本体容器を有する、請求項１記載のカユミ止冷却器。
【請求項４】
本体容器内に内封した冷却体を、押し板を介して押しバネの伸長圧で、冷却筒平面用または冷却筒刺激用のいずれかの先端内面に押し付け、平面患部接触面または刺激患部接触面を冷却し治療に供する請求項１記載のカユミ止冷却器。
【請求項５】
冷却体を、押しバネの伸長圧で平面患部接触面または刺激患部接触面を冷却し治療に供した時、冷却体先端の融解消耗による長さの短縮は、押しバネの伸長圧による常時加圧で自動的に繰り出され、冷却度が変化または途切れることがない、請求項１、４記載のカユミ止冷却器。
【請求項６】
前記、請求項５の冷却体使用時に、融解消耗により融出された水や、たとえばドライアイスでの使用時に昇華したガスなどを、本体容器より外部に排出するための水抜きキャップを装備した、請求項１、２、３記載のカユミ止冷却器。
【請求項７】
冷却筒平面用または冷却筒刺激用は、本体先端のネジとネジリングとで、ネジ締めによって交換可能とした、請求項１記載のカユミ止冷却器。
【請求項８】
冷却筒平面用は、その保持する平面患部接触面が平面である、請求項１、２、４、７記載の冷却筒平面用を装備することを特徴とする、カユミ止冷却器。
【請求項９】
冷却筒刺激用は、その保持する刺激患部接触面が、カユミが強い丘疹などの発疹に対して、冷却と共に刺激を与える刺激突起を有する、請求項１、３、４、７記載の冷却筒刺激用を装備することを特徴とする、カユミ止冷却器。
【考案の詳細な説明】
【技術分野】
【０００１】本考案は電源を必要とせず、氷などの冷却体を用いて、人体各部のカユミや発熱や痛みを生じる皮膚疾患患部を冷却し、苦痛を消去または軽減でき、癒しの効果もあるカユミ止冷却器に関する。
【背景技術】
【０００２】皮膚疾患諸病や虫刺され等のカユミは、その苦しさからどうしても爪でひっかき傷をつくりがちで、これへのばい菌の侵入や醜い傷跡は、健康上また美容上是非とも防がなければならぬものである。また皮膚上の出来物や切り傷の痛い発熱局部は、共にカユミと痛さと発熱の鈍化と沈静化の為に、氷での冷却を医師が推奨指導するところのものである。【０００３】人体局部を冷却する従来の技術の治療器として、次にその要約を記載し参考図を添付する。
［発明の名称］        局部冷却・加熱器
［特許出願公開番号］  特開平９−１６４１６３
［説明図］            参考図
［要約］
（課題）  眼部等の人体の各局部を衛生的かつ簡単な操作で冷やしたり温めたりすることができる局部冷却・加熱器を提供することを目的とする。
（解決手段）  冷却熱または加温熱を発生する熱電部１と、熱電部１の前部プレート２への着脱が自在である後面８と開放された前面７とを有する接触部６と、熱電部１で発生する加温熱を放熱する放熱部４と、熱電部１に電流を供給する電源部と、熱電部分１の前部プレート２側で発生する熱を冷却熱とするかを選択する切替手段９と、熱電部１に供給される電流値を制御する制御手段１０とを有することにより、人体の各局部を衛生的かつ簡単な操作で冷やしたり温めたりすることができる局部冷却・加熱器が得られる。
【考案の開示】
【考案が解決しようとする課題】以下前記従来の技術について、参考図によって箇条書で説明する。【０００４】冷却と加温の二通りの使用目的を持つ。【０００５】冷却熱または加温熱を発生する熱電部１を要する。【０００６】ベルチェ効果を有する熱電素子１１を要する。【０００７】加温熱を放熱する放熱部４を要する。【０００８】電源を必要とし、充電して使用するＮｉＣｄ電池を要する。【０００９】冷温熱の切替手段として、切替スイッチ９を要する。【００１０】電流制御手段として、電流調整スイッチ１０を要する。【００１１】機体の構造が複雑のわりに、収受できる効果が少ない。【００１２】原価が高くなり、従って販売価格が高価になる。
【課題を解決するための手段】以下課題を解決するための手段について、箇条書で説明する。【００１３】本考案は、氷などの冷却体を用いて、人体各局部のカユミや発熱や痛みを生じる皮膚疾患患部を冷却し、苦痛を除去または軽減するのが目的であり、加温は目的に反するもので、必要としない。【００１４】本考案は、氷などの自然固有の冷却体を使用し、皮膚疾患患部を冷却治療するもので、簡単な機械的機構だけで目的を達し、電気はいっさい要しない。【００１５】電気を使用するとき加温はともかく、冷却は複雑な装置を必要とし、ベルチェ効果を有する熱電素子、電源制御装置、操作装置、携帯用としての充電可能のＮｉＣｄ電池など高価な構成部品を要し、繁雑な取扱いの上に非常に高価格になる。本考案は簡単な構造の上に、安価な部品材で構成され、取扱いも簡便で廉価で提供することが可能である。
【考案の効果】本考案の構造及び使用についての効果を、以下箇条書で説明する。【００１６】本考案は、皮膚に生じるカユミ・発熱・痛みなどに対処するもので、冷却を目的とするもので、加温は必要としない。【００１７】冷却は、氷など固有の冷却体を使用し、伝熱の部位として冷却筒（９・１２）先端で冷却を行い、本考案のカユミ止冷却器について、電気は一切使用しない。【００１８】本考案は、氷などの冷却体固有の温度そのままが、カユミなどの治療に適合するから、温度の制御などは不必要で、また電源不用であるから各種スイッチ類は、いっさい装備しない。【００１９】簡単な機構のため、低廉な価格で製作でき、従って販売価格も低く設定できる。
【考案を実施するための最良の形態】以下、本考案の実施の形態として図に基づいて説明する。【００２０】本考案は、後端にパッキングＡ（３）を装着した、蓋が着脱自在の水抜きキャップ（２）を設けた、断熱材（１）に覆われた円筒形の本体（４）容器の中に、先端から押しバネ（５）・押し板（６）・氷などの冷却体（７）を入れ、別にネジリング（８）に患部接触面（１７・１８）を有する冷却筒（９・１２）を通し、パッキングＢ（１０）を装着して、冷却体（７）を冷却筒（９・１２）のいずれかの中に挿入し、押しバネ（５）を圧縮しながら本体（４）容器にネジ締めし、密封容器とする。内封した押しバネ（５）は、その伸長圧で冷却体（７）を冷却筒（９・１２）先端内面に押し付け、先端内面とその外面の患部接触面（１７・１８）を冷却し、冷却体（７）と同温度に冷却された患部接触面（１７・１８）を患部に押し当て、接触皮膚面を冷却し、人体皮膚面に生じたカユミ・発熱・痛みや苦痛を消去または軽減して安息が得られる、手軽で安全なカユミ止冷却器。
注
上記文中、冷却筒は患部接触面の形状の相違によって、平面用と刺激用の２種類あり、患部の状態に合わせ取替えて使用するが、文の繁雑をさけるため、あえて単に冷却筒として記載した。患部接触面も同様これに準ずる。【００２１】［図１・図８］本体（４）を冷却筒平面用（９）または冷却筒刺激用（１２）を下にして持ち、カユミ・熱・痛みなどの患部に、冷却筒平面用（９）先端平面患部接触面（１７）または冷却筒刺激用（１２）の先端刺激患部接触面（１８）を押付け冷却加療する。【００２２】［図２・図３・図４・図７］冷却筒平面用（９）と冷却筒刺激用（１２）は、ネジリング（８）と本体（４）のネジの着脱で、取替えが可能である。【００２３】［図６］患部が平面（１３）であれば冷却筒平面用（９）を用い、患部が冷却で痛さを感ずるまで押し付け、患部の面積が広ければ隣接に位置を変えて同様に繰り返す。患部の冷却による熱移動（１４）は、冷却体（７）の氷などの融解に変化する。【００２４】［図４・５・７］丘疹（１５）など、盛り上がったカユミの強い発疹には、冷却筒刺激用（１２）の刺激突起（１１）を丘疹盛り上がり部位に押し込み、冷却と共に圧迫刺激でカユミに対する消去または軽減と癒しの効果を与え、更にそのまま横に移動すれば、治療しながら皮膚を傷つけず、爪で掻いたと同様の効果が得られる。【００２５】［図６］カユミへの効果は、氷を使用した場合０度または０度に近い冷却温度で、冷凍火傷を生ぜずに、カユミに対する神経の鈍化と沈静化で、消去または軽減する。患部への冷却の強弱は、押し付ける時間で加減し、症状の軽重に応じる。【００２６】［図９］冷却体（７）は、氷を用いるときは家庭用冷蔵庫で製造する。本考案のカユミ止冷却器付属の型枠（１６）に定量の水を入れ、冷蔵庫内冷凍庫に収納し、氷結させ製造する。【００２７】［図１・２・３・４・５・７］冷却筒平面用（９）の平面患部接触面（１７）および冷却筒刺激用（１２）の刺激患部接触面（１８）は、熱伝導率の良い材質を用い、構造上可能の範囲で、極力薄い板厚とする。
【実施例】
【００２８】苦痛を生じている皮膚患部部分を、直接冷却体（７）そのものの温度で、即時強力に冷却するから、苦痛を即効的に軽減または除去ができる。【００２９】カユミ止冷却器使用後は、本体（４）後部の水抜きキャップ（２）から融解水を排水した後、冷蔵庫冷凍室に保存し、次の使用時には取り出して即時使用出来る。【００３０】カユミが比較的少ない患部には、冷却筒平面用（９）を用い、カユミが強い丘疹（１５）などには、冷却筒刺激用（１２）を用いる。【００３１】冷却体（７）は押バネ（５）の伸長圧により、先端平面が常に冷却筒平面用（９）または冷却筒刺激用（１２）の内平面に密着しているから、冷却体（７）そのものの温度で常に一定して患部を冷却できる。【００３２】冷却体（７）は、先端部分が融解して減ってくるが、バネ（５）の伸長圧で自動的に繰り出され、冷却体（７）の消滅まで続く。【００３３】冷却体（７）の形状は、本器に付属する型枠（１６）で冷蔵庫内で冷凍生成する。
【図面の簡単な説明】
【００３４】
【図１】本考案の斜視外観図である。
【図２】本考案の正面外観図である。
【図３】本考案の〔図２〕Ａ−Ａ断面図である。
【図４】本考案の冷却筒刺激用正面図である。
【図５】本考案の冷却筒刺激用〔図４〕のＢ−Ｂ断面図である。
【図６】本考案冷却筒平面用の平面患部からの熱の流れを表す１部断面図である。
【図７】本考案の冷却筒刺激用の丘疹（１５）に対する圧迫刺激の状況断面図である。圧迫刺激の状態のまま横に動かすと摩擦刺激が得られる。
【図８】本考案を手で持った使用時斜視外観図である。
【図９】本考案の冷却体（７）を作る型枠（１６）の斜視外観図である。
【符号の説明】
【００３５】１      断熱材
２      水抜きキャップ
３      パッキングＡ
４      本体
５      押しバネ
６      押し板
７      冷却体
８      ネジリング
９      冷却筒平面用
１０    パッキングＢ
１１    刺激突起
１２    冷却筒刺激用
１３    皮膚平面患部
１４    皮膚平面患部（１３）から冷却体（７）への伝熱方向を示す。
１５    丘疹
１６    冷却体型枠
１７    平面患部接触面
１８    刺激患部接触面
【図１】
0003115222.tif 000003
【図２】
0003115222.tif 000004
【図３】
0003115222.tif 000005
【図４】
0003115222.tif 000006
【図５】
0003115222.tif 000007
【図６】
0003115222.tif 000008
【図７】
0003115222.tif 000009
【図８】
0003115222.tif 000010
【図９】
0003115222.tif 000011
【手続補正書】
【提出日】平成17年7月4日(2005.7.4)
【手続補正１】
【補正対象書類名】実用新案登録請求の範囲
【補正対象項目名】請求項１
【補正方法】変更
【補正の内容】
【請求項１】
後端にパッキングＡを装着した着脱自在の水抜きキャップを設けた、断熱材に覆われた円筒形の本体容器の中に、先端から押しバネ・押し板・氷などの冷却体を入れ、別にネジリングに患部接触面を有する冷却筒平面用または冷却筒刺激用のいずれかを通し、パッキングＢを装着して、冷却体を冷却筒平面用または冷却筒刺激用のいずれかの中に挿入し、押しバネを圧縮しながら本体容器にネジ締めして密閉容器とし、前記本体容器に内封した押しバネは、その伸長圧で冷却体を冷却筒平面用または冷却筒刺激用のいずれかの先端内面に押し付けて冷却体と同温度とし、冷却された平面患部接触面または刺激患部接触面を患部に押し当てて、接触皮膚面を冷却し、人体皮膚面に生じたカユミ・発熱・痛みなど苦痛を消去、または軽減するカユミ止冷却器。